【手続補正書】
【提出日】平成20年6月13日(2008.6.13)
【手続補正１】
【補正対象書類名】明細書
【補正対象項目名】特許請求の範囲
【補正方法】変更
【補正の内容】
【特許請求の範囲】
【請求項１】  基板上にアレイ状に配列された複数の記録素子を有し、前記複数の記録素子の抵抗値が、前記複数の記録素子のうちの少なくとも１つの記録素子の抵抗値を基準として４％以上のばらつきを持ち、前記複数の記録素子に吐出エネルギーを発生させることによりインクを吐出して記録を行うインクジェット記録ヘッドであって、
前記基板上の、前記複数の記録素子がアレイ状に配列されて成る記録素子列の少なくとも両端部付近に前記記録素子の特性を得るためにそれぞれ配置された複数の測定用素子と、
該測定用素子の特性値の平均値、中央値またはそれらに対応する参照値を記憶する記憶手段と、を有することを特徴とするインクジェット記録ヘッド。
【請求項２】  前記特性値は前記測定用素子の抵抗値である、請求項１に記載のインクジェット記録ヘッド。
【請求項３】  前記記録素子が発熱体から成る、請求項１または２に記載のインクジェット記録ヘッド。
【請求項４】  前記記録素子列の長さが２０ｍｍ以上である、請求項１から３のいずれか１項に記載のインクジェット記録ヘッド。
【請求項５】  前記記録素子列の両端部付近にそれぞれ配置された前記両測定用素子同士の間に、前記記録素子の特性を得るための測定用素子がさらに配置されている、請求項１から４のいずれか１項に記載のインクジェット記録ヘッド。
【請求項６】  前記各測定用素子の両端にそれぞれ測定用素子端子が接続されている、請求項１から５のいずれか１項に記載のインクジェット記録ヘッド。
【請求項７】  前記記録素子列の両端部付近に配置された前記両測定用素子の一方の端部に測定用素子端子がそれぞれ接続され、前記各測定用素子同士が互いに配線で接続されている、請求項１から５のいずれか１項に記載のインクジェット記録ヘッド。
【請求項８】  前記配線の抵抗値が、前記各測定用素子の抵抗値の合計の１／１０以下である、請求項７に記載のインクジェット記録ヘッド。
【請求項９】  前記記録素子列は複数の記録素子群に分割されており、該記録素子群のそれぞれの少なくとも両端部付近には前記記録素子の特性を得るための複数の前記測定用素子がそれぞれ配置されている、請求項１から８のいずれか１項に記載のインクジェット記録ヘッド。
【請求項１０】  前記各記録素子群には、該各記録素子群に含まれる複数の記録素子に前記吐出エネルギーを発生させるための駆動信号を、前記各記録素子群に含まれる複数の記録素子毎に同一のパルス幅で供給するための、少なくとも１つの記録素子駆動信号端子が接続されている、請求項９に記載のインクジェット記録ヘッド。
【請求項１１】  前記記録素子群の長さが２０ｍｍ以上である、請求項９または１０に記載のインクジェット記録ヘッド。
【請求項１２】  基板上にアレイ状に配列された複数の記録素子を有し、前記複数の記録素子の抵抗値が、前記複数の記録素子のうちの少なくとも１つの記録素子の抵抗値を基準として４％以上のばらつきを持ち、前記複数の記録素子に吐出エネルギーを発生させることにより、インクを吐出して記録を行うインクジェット記録ヘッドであって、
前記基板上の、前記複数の記録素子がアレイ状に配列されて成る記録素子列の少なくとも両端部付近に前記記録素子の特性を得るためにそれぞれ測定用素子が配置され、
該複数の測定用素子の特性値が前記吐出エネルギーを発生させるために前記記録素子に供給する駆動信号の電気エネルギー量の決定に用いられることを特徴とするインクジェット記録ヘッド。
【請求項１３】  前記複数の測定用素子の特性値の平均値、中央値またはそれらに対応する参照値が、前記電気エネルギー量の決定に用いられることを特徴とする、請求項１２に記載のインクジェット記録ヘッド。
【請求項１４】  前記記録素子列は複数の記録素子群に分割されており、該記録素子群のそれぞれの少なくとも両端部付近には前記記録素子の特性を得るための測定用素子がそれぞれ配置されている、請求項１２に記載のインクジェット記録ヘッド。
【請求項１５】  前記各記録素子群には、該各記録素子群に含まれる複数の記録素子毎に前記駆動信号を同一のパルス幅で供給するための、少なくとも１つの記録素子駆動信号端子が接続されている、請求項１４に記載のインクジェット記録ヘッド。
【請求項１６】  前記記録素子に供給する前記駆動信号の前記電気エネルギー量を前記記録素子群毎に個別に調節することができるように構成されている、請求項１４または１５に記載のインクジェット記録ヘッド。
【請求項１７】  前記記録素子に供給する前記駆動信号の前記電気エネルギー量が全ての前記記録素子群において同じになるように構成されている、請求項１４から１６のいずれか１項に記載のインクジェット記録ヘッド。
【請求項１８】  前記特性値の平均値、中央値またはそれらに対応する参照値を記憶する記憶手段をさらに有している、請求項１４から１７のいずれか１項に記載のインクジェット記録ヘッド。
【請求項１９】  前記特性値は前記測定用素子の抵抗値である、請求項１４から１８のいずれか１項に記載のインクジェット記録ヘッド。
【請求項２０】  インクを吐出させるための吐出エネルギーを発生させる、アレイ状に配列された複数の記録素子と、該記録素子がアレイ状に配列されて成る記録素子列の少なくとも両端部付近に該記録素子の特性を得るためにそれぞれ配置された複数の測定用素子とを含む基板と、前記測定用素子の特性値の平均値、中央値またはそれらに対応する参照値を記憶する記憶手段とを有し、前記複数の記録素子に前記吐出エネルギーを発生させることにより、インクを吐出して記録を行うインクジェット記録ヘッドの製造方法であって、
前記特性値を測定する工程と、
測定した前記特性値を演算して、前記特性値の平均値、中央値またはそれらに対応する参照値を求める工程と、
求められた前記特性値の平均値，中央値又はそれらに対応する参照値を，前記記憶手段に記憶させる工程と、を有することを特徴とするインクジェット記録ヘッドの製造方法。
【請求項２１】  アレイ状に配列された複数の記録素子と、該記録素子がアレイ状に配列されて成る記録素子列の少なくとも両端部付近に該記録素子の特性を得るためにそれぞれ配置された複数の測定用素子とを含む基板を有し、前記複数の記録素子の抵抗値が、前記複数の記録素子のうちの少なくとも１つの記録素子の抵抗値を基準として４％以上のばらつきを持ち、前記複数の記録素子に吐出エネルギーを発生させることによりインクを吐出して記録を行うインクジェット記録ヘッドと、
前記複数の測定用素子の特性値を測定する特性値測定手段と、
測定した前記特性値を演算して前記特性値の平均値、中央値またはそれらに対応する参照値を求める演算手段と、
前記演算手段によって求められた前記特性値の平均値、中央値またはそれらに対応する参照値に基づいて、前記吐出エネルギーを発生させるために前記記録素子に供給する駆動信号の電気エネルギー量を決定して、前記記録素子に前記駆動信号を供給する駆動信号供給手段と、を有するインクジェット記録装置。
【請求項２２】  アレイ状に配列された複数の記録素子と、該記録素子がアレイ状に配列されて成る記録素子列の少なくとも両端部付近に該記録素子の特性を得るためにそれぞれ配置された複数の測定用素子とを含む基板を有し、前記複数の記録素子の抵抗値が、前記複数の記録素子のうちの少なくとも１つの記録素子の抵抗値を基準として４％以上のばらつきを持ち、前記複数の記録素子に吐出エネルギーを発生させることによりインクを吐出して記録を行うインクジェット記録ヘッドの駆動方法であって、
前記複数の測定用素子の特性値を測定し該特性値を演算して求めた該特性値の平均値、中央値またはそれらに対応する参照値に基づいて、前記吐出エネルギーを発生させるために前記記録素子に供給する駆動信号の電気エネルギー量を決定する工程と、
前記決定された電気エネルギー量の前記駆動信号を前記記録素子に供給する工程とを有することを特徴とするインクジェット記録ヘッドの駆動方法。
【手続補正２】
【補正対象書類名】明細書
【補正対象項目名】００３７
【補正方法】削除
【補正の内容】
【手続補正３】
【補正対象書類名】明細書
【補正対象項目名】００３８
【補正方法】削除
【補正の内容】
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４９
【補正方法】削除
【補正の内容】
【手続補正９】
【補正対象書類名】明細書
【補正対象項目名】００５０
【補正方法】削除
【補正の内容】
【手続補正１０】
【補正対象書類名】明細書
【補正対象項目名】００５１
【補正方法】削除
【補正の内容】
【手続補正１１】
【補正対象書類名】明細書
【補正対象項目名】００５２
【補正方法】削除
【補正の内容】
【手続補正１２】
【補正対象書類名】明細書
【補正対象項目名】００５３
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】削除
【補正の内容】
【手続補正２０】
【補正対象書類名】明細書
【補正対象項目名】００６３
【補正方法】削除
【補正の内容】
【手続補正２１】
【補正対象書類名】明細書
【補正対象項目名】００６４
【補正方法】削除
【補正の内容】
【手続補正２２】
【補正対象書類名】明細書
【補正対象項目名】００６５
【補正方法】削除
【補正の内容】
【手続補正２３】
【補正対象書類名】明細書
【補正対象項目名】００６７
【補正方法】削除
【補正の内容】
【手続補正２４】
【補正対象書類名】明細書
【補正対象項目名】００６８
【補正方法】削除
【補正の内容】
【手続補正２５】
【補正対象書類名】明細書
【補正対象項目名】００６９
【補正方法】削除
【補正の内容】
【手続補正２６】
【補正対象書類名】明細書
【補正対象項目名】００７０
【補正方法】削除
【補正の内容】
【手続補正２７】
【補正対象書類名】明細書
【補正対象項目名】００７１
【補正方法】削除
【補正の内容】
【手続補正２８】
【補正対象書類名】明細書
【補正対象項目名】００７４
【補正方法】削除
【補正の内容】
【手続補正２９】
【補正対象書類名】明細書
【補正対象項目名】００７５
【補正方法】削除
【補正の内容】
【手続補正３０】
【補正対象書類名】明細書
【補正対象項目名】００７６
【補正方法】削除
【補正の内容】
【手続補正３１】
【補正対象書類名】明細書
【補正対象項目名】００７７
【補正方法】削除
【補正の内容】
【手続補正３２】
【補正対象書類名】明細書
【補正対象項目名】００７８
【補正方法】削除
【補正の内容】
【手続補正３３】
【補正対象書類名】明細書
【補正対象項目名】００７９
【補正方法】削除
【補正の内容】
【手続補正３４】
【補正対象書類名】明細書
【補正対象項目名】００８０
【補正方法】削除
【補正の内容】